(57)【特許請求の範囲】
【請求項１】
第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信システムであって、
前記第２の送信ポイントを構成する基地局装置は、前記第２のキャリアにおいて第２の送信ポイント間で同一となる周波数リソースを用いてそれぞれセル固有の参照信号を送信する送信部を備え、
前記移動端末装置は、前記第２の送信ポイントから前記第２のキャリアで送信された前記参照信号を受信する受信部と、を備えることを特徴とする通信システム。
【請求項２】
前記第２の送信ポイントを構成する基地局装置は、所定のサブフレーム間隔で前記参照信号を送信することを特徴とする請求項１に記載の通信システム。
【請求項３】
前記第２の送信ポイントを構成する基地局装置は、前記第２のキャリア中の所定の周波数リソースで前記参照信号を送信することを特徴とする請求項１に記載の通信システム。
【請求項４】
前記移動端末は、上位レイヤシグナリングで通知された周波数リソースで前記参照信号を含む下りリンク信号を受信することを特徴とする請求項１に記載の通信システム。
【請求項５】
第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信システムに用いられる第２の送信ポイントを構成する基地局装置であって、
前記第２のキャリアにおいて第２の送信ポイント間で同一となる周波数リソースを用いてそれぞれセル固有の参照信号を送信する送信部を備えることを特徴とする基地局装置。
【請求項６】
第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信システムに用いられる第１の送信ポイントを構成する基地局装置であって、
第２の送信ポイントから前記第２のキャリアで送信されるセル固有の参照信号を生成する生成部と、
複数の第２の送信ポイントのそれぞれから同一となる周波数リソースを用いて前記参照信号が送信されるようにスケジューリングするスケジューリング部と、を備え、
前記参照信号を含む下りリンク信号を前記第２の送信ポイントを構成する基地局装置に供給することを特徴とする基地局装置。
【請求項７】
第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信方法であって、
前記第２の送信ポイントを構成する基地局装置が、前記第２のキャリアにおいて第２の送信ポイント間で同一となる周波数リソースを用いてそれぞれセル固有の参照信号を送信するステップと、
前記移動端末装置が、前記第２の送信ポイントから前記第２のキャリアで送信された前記参照信号を受信するステップと、を備えることを特徴とする通信方法。
【請求項８】
第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信システムであって、
前記第２の送信ポイントを構成する基地局装置は、第２の送信ポイント間で共通する参照信号リソース配置パターンにしたがってセル固有の参照信号を配置し、第２の送信ポイント間で参照信号の周波数リソースが重ならないように参照信号リソース配置パターンの一部にゼロパワー参照信号を配置する送信部を備え、
前記移動端末装置は、前記第２の送信ポイントから前記第２のキャリアで送信された前記参照信号を受信する受信部と、を備えることを特徴とする通信システム。
【請求項９】
前記第２の送信ポイントを構成する基地局装置は、第２の送信ポイント間で同一となる周波数リソースを用いて同期信号を送信することを特徴とする請求項８に記載の通信システム。
【請求項１０】
前記第２の送信ポイントを構成する基地局装置は、第２の送信ポイント間で異なる周波数リソースを用いて同期信号を送信することを特徴とする請求項８に記載の通信システム。
【発明の詳細な説明】
【技術分野】
【０００１】
本発明は、セルラーシステム等に適用可能な通信システム、基地局装置及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥアドバンスト又はＬＴＥエンハンスメントなどと呼ばれるＬＴＥの後継システム（以下、「ＬＴＥ−Ａ」）も検討されている。ＬＴＥ−Ａ（Rel-10）においては、ＬＴＥシステムのシステム帯域を１単位とする複数のコンポーネントキャリア（ＣＣ：Component  Carrier）を束ねて広帯域化するキャリアアグリゲーションが用いられる。また、ＬＴＥ−Ａでは、干渉コーディネーション技術（ｅＩＣＩＣ：enhanced  Inter-Cell  Interference  Coordination）を用いたＨｅｔＮｅｔ（Heterogeneous  Network）構成が検討されている。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
ところで、将来のシステム（Rel-11以降）では、周波数利用効率の向上や、ＨｅｔＮｅｔにおける与干渉の低減を考慮したキャリアアグリゲーションが想定される。キャリアアグリゲーションにおいても、既存のＣＲＳ（Cell-specific  Reference  Signal）を有効に活用することが望まれるが、その場合、与干渉の低減という観点から問題を生じる恐れがある。
【０００６】
本発明はかかる点に鑑みてなされたものであり、ＨｅｔＮｅｔにおけるキャリアアグリゲーションに適した通信システム、基地局装置及び通信方法を提供することを目的とする。
【課題を解決するための手段】
【０００７】
本発明の通信システムは、第１の送信ポイントと複数の第２の送信ポイントとを備え、移動端末装置が第１の送信ポイントとの間の通信で第１のキャリアを用いると共に、第２の送信ポイントとの間の通信で第１のキャリアとは異なる第２のキャリアを用い、前記第１のキャリア及び前記第２のキャリアを用いたキャリアアグリゲーションを利用して通信するようにキャリアを制御する通信システムであって、前記第２の送信ポイントを構成する基地局装置は、前記第２のキャリアにおいて第２の送信ポイント間で同一となる周波数リソースを用いてそれぞれセル固有の参照信号を送信する送信部を備え、前記移動端末装置は、前記第２の送信ポイントから前記第２のキャリアで送信された前記参照信号を受信する受信部と、を備えることを特徴とする。
【発明の効果】
【０００８】
本発明によれば、追加キャリアタイプの参照信号の配置位置をこれまでと異ならせることができるので、参照信号からの干渉を抑制することができる。これにより、既存のシステムを有効に活用しつつ、ＨｅｔＮｅｔにおけるキャリアアグリゲーションに適した通信システム、基地局装置及び通信方法を実現できる。
【図面の簡単な説明】
【０００９】
【図１】ＬＴＥ−Ａシステムのシステム帯域の説明図である。
【図２】ＨｅｔＮｅｔにおけるキャリアアグリゲーションの一例を示す図である。
【図３】追加キャリアタイプを用いたキャリアアグリゲーションの一例を示す図である。
【図４】追加キャリアタイプにおける無線リソースの割り当て例を示す図である。
【図５】キャリアアグリゲーションにおける基地局装置での無線リソース割り当ての例を示す図である。
【図６】追加キャリアタイプの第１の態様について示す図である。
【図７】追加キャリアタイプの第２の態様について示す図である。
【図８】追加キャリアタイプの第３の態様について示す図である。
【図９】追加キャリアタイプの第４の態様について示す図である。
【図１０】無線通信システムのシステム構成の説明図である。
【図１１】基地局装置の全体構成の説明図である。
【図１２】移動端末装置の全体構成の説明図である。
【図１３】基地局装置が有するベースバンド信号処理部及び一部の上位レイヤの機能ブロック図である。
【図１４】移動端末装置が有するベースバンド信号処理部の機能ブロック図である。
【発明を実施するための形態】
【００１０】
図１は、ＬＴＥ−Ａで定められた階層型帯域幅構成を示す図である。図１に示す例は、複数の基本周波数ブロック（以下、コンポーネントキャリアとする）で構成される第１システム帯域を持つＬＴＥ−Ａシステムと、１コンポーネントキャリアで構成される第２システム帯域を持つＬＴＥシステムとが併存する場合の階層型帯域幅構成である。ＬＴＥ−Ａシステムにおいては、例えば、１００ＭＨｚ以下の可変システム帯域幅で無線通信し、ＬＴＥシステムでは、２０ＭＨｚ以下の可変システム帯域幅で無線通信する。ＬＴＥ−Ａシステムのシステム帯域は、ＬＴＥシステムのシステム帯域を１単位とする少なくとも１つのコンポーネントキャリアとなっている。このように、複数のコンポーネントキャリアを集めて広帯域化することをキャリアアグリゲーションという。
【００１１】
例えば、図１においては、ＬＴＥ−Ａシステムのシステム帯域は、ＬＴＥシステムのシステム帯域（ベース帯域：２０ＭＨｚ）を１つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚまでのシステム帯域に対応可能である。ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動端末装置であり、２０ＭＨｚ（ベース帯域）までのシステム帯域に対応可能である。
【００１２】
将来（Rel-11以降）のシステムでは、Ｈｅｔｎｅｔに特化したキャリアアグリゲーションの拡張が想定される。具体的には、図２に示すようなシステム構成が考えられる。図２は、ＨｅｔＮｅｔにおけるキャリアアグリゲーションの一例を示す図である。
【００１３】
図２に示すシステムは、マクロ基地局装置ｅＮＢ（eNodeB）と複数の基地局装置ＲＲＨ（Remote  Radio  Head）とにより階層的に構成されている。マクロ基地局装置（第１の送信ポイント）ｅＮＢのセル内には、基地局装置（第２の送信ポイント）ＲＲＨにより局所的に小型セルが形成されている。移動端末装置ＵＥは、基地局装置ＲＲＨ＃１の小型セル内に位置し、マクロ基地局装置ｅＮＢ及び基地局装置ＲＲＨ＃１とキャリアアグリゲーションにより通信している。例えば、マクロ基地局装置ｅＮＢのコンポーネントキャリアＣＣ＃１をＰＣｅｌｌ（Primary  Cell）、基地局装置ＲＲＨ＃１のコンポーネントキャリアＣＣ＃２をＳＣｅｌｌとしてキャリアアグリゲーションが行われる。
【００１４】
キャリアアグリゲーションを行うためには、移動端末装置ＵＥがマクロ基地局装置ｅＮＢに接続された状態で、異周波測定によって基地局装置ＲＲＨ（ＳＣｅｌｌ）を発見（検出）する必要がある。Ｒｅｌ−１０以前の移動端末装置ＵＥでは、同期信号であるＰＳＳ／ＳＳＳ（Primary  Synchronization  Signal/Secondary  Synchronization  Signal）で同期補足した後、ＣＲＳにより各基地局装置ＲＲＨからの異周波の受信品質が測定される。そして、測定された各基地局装置ＲＲＨからの信号品質と予め定められたターゲット値とが比較され、受信品質のよい基地局装置ＲＲＨ（ＳＣｅｌｌ）が検出される。
【００１５】
ところで、Ｒｅｌ−１１では、既存のキャリアアグリゲーションのコンポーネントキャリアとの互換性を有さないキャリアが検討されており、キャリアアグリゲーションを適用したＨｅｔｎｅｔに有効と考えられる。既存のコンポーネントキャリアとの互換性を有さないキャリアは、追加キャリアタイプ（Additional  carrier  type）と呼ばれてもよいし、拡張キャリア（extension  carrier）と呼ばれてもよい。
【００１６】
図３は、追加キャリアタイプを用いたキャリアアグリゲーションの一例を示す図である。なお、図３において、マクロ基地局装置ｅＮＢのＣＣ＃１は、既存キャリアタイプ（Legacy  carrier  type）に設定され、基地局装置ＲＲＨのＣＣ＃２は、追加キャリアタイプに設定されている。なお、図３においては、説明の便宜上、ＣＲＳ、ＰＤＣＣＨ（Physical  Downlink  Control  Channel）、ＰＤＳＣＨ（Physical  Downlink  Shared  Channel）のみ図示している。また、追加キャリアタイプの帯域幅は、ＬＴＥシステムのシステム帯域（ベース帯域：２０ＭＨｚ）を１単位とする必要はなく、適宜変更可能である。
【００１７】
図３に示すように、既存キャリアタイプには、ＬＴＥで規定される１ＲＢ（リソースブロック）の先頭から３シンボルにＰＤＣＣＨが設定されている。また、既存キャリアタイプには、１ＲＢにおいてユーザデータやＤＭ−ＲＳ（Demodulation-Reference  Signal）等の他の参照信号と重ならないようにＣＲＳが設定されている。このＣＲＳは、ユーザデータの復調に用いられる他、スケジューリングや適応制御のための下りリンクのチャネル品質情報（ＣＱＩ：Channel  Quality  Indicator）測定、並びに、セルサーチやハンドオーバのための下りの平均的な伝搬路状態の測定（モビリティ測定）などに用いられる。
【００１８】
一方で、追加キャリアタイプは、例えば、ＣＲＳ及びＰＤＣＣＨを無送信とすることができる。この追加キャリアタイプは、既存（Rel-10以前）の移動端末装置ＵＥにはサポートされず、新規（Rel-11以降）の移動端末装置ＵＥのみのサポートが想定される。また、追加キャリアタイプは、主にＳＣｅｌｌ（Secondary  Cell）で使用されることを想定されている。
【００１９】
このように、追加キャリアタイプにおいてＣＲＳ及びＰＤＣＣＨを無送信とするキャリアアグリゲーションを行えば、ＣＲＳによる干渉を低減できる。すなわち、追加キャリアタイプでＣＲＳを無送信にするので、近接する基地局装置ＲＲＨからのＣＲＳの与干渉を抑制できる。また、ＣＲＳ及びＰＤＣＣＨの無線リソースを用いてユーザデータなどを送信できるので、周波数利用効率を改善できる。
【００２０】
これに対し、既存（Rel-10以前）の資源（ハードウェア及びソフトウェア）を有効に再利用する観点から、追加キャリアタイプにおいてもＣＲＳを無送信とせずに積極的に活用したいという要望がある。しかし、追加キャリアタイプに既存のＣＲＳをそのまま適用すると、ＣＲＳの与干渉は大きくなり、送信電力などの面でも不利になる恐れがある。そこで、追加キャリアタイプにおいて、ＣＲＳの送信に用いる無線リソースを既存キャリアタイプよりも減らすことが検討されている。
【００２１】
図４は、追加キャリアタイプにおける無線リソースの割り当て例を示す図である。図４Ａは、ＣＲＳ用の無線リソースを時間方向において減らした例を示しており、図４Ｂは、ＣＲＳ用の無線リソースを周波数方向において減らした例を示している。なお、図４においては、説明の便宜上、ＣＲＳ、ＰＤＳＣＨ、ＰＳＳ／ＳＳＳのみ図示している。
【００２２】
図４Ａにおいて、同期信号であるＰＳＳ／ＳＳＳは４サブフレームおきに（すなわち、５サブフレーム周期で）送信されており、ＣＲＳも同じ４サブフレームおきに（５サブフレーム周期で）送信されている。他のサブフレームにおいて、ＣＲＳは送信されていない。ＰＤＳＣＨは、第１サブフレーム、第２サブフレーム、第３〜第６サブフレームに割り当てられており、ユーザデータなどの送信に用いられる。この場合、所定のサブフレーム以外でＣＲＳは送信されないので、ＣＲＳの与干渉を低減できると共に送信電力を抑制できる。なお、ＣＲＳの送信周期はこれに限られない。
【００２３】
図４Ｂでは、中央の６ＲＢでＣＲＳが送信されおり、他の周波数リソース（周波数位置）においてＣＲＳは送信されない。ＰＤＳＣＨは、第１サブフレーム、第２サブフレーム、第３〜第６サブフレームに割り当てられており、ユーザデータなどの送信に用いられる。この場合、中央の６ＲＢ以外の周波数リソースでＣＲＳは送信されないので、ＣＲＳの与干渉を低減できると共に送信電力を抑制できる。なお、ＣＲＳの送信は、中央の６ＲＢで行うことに限られない。ＣＲＳは、他の周波数範囲で送信されても良い。
【００２４】
図５は、キャリアアグリゲーションにおける基地局装置ＲＲＨでの無線リソースの割り当て例を示す図である。図５においては、説明の便宜上、ＳＣｅｌｌとして用いられる基地局装置ＲＲＨ＃１の無線リソースと、基地局装置ＲＲＨ＃１に近接する基地局装置ＲＲＨ＃２の無線リソースのみを示している。また、ここでは、図４Ａのように、ＣＲＳ用の無線リソースを時間方向において減らした追加キャリアタイプが適用される場合を例示している。
【００２５】
各基地局装置ＲＲＨにおいて、ＣＲＳは、相互に干渉しないように異なる周波数リソースで送信されている。Ｒｅｌ−１０以前のシステムにおいて、各基地局装置ＲＲＨは、マクロ基地局装置ｅＮＢから送信される参照信号の周波数リソースに対して、周波数領域で所定量シフトされた周波数リソースを用いてＣＲＳを送信する。つまり、各基地局装置ＲＲＨから送信されるＣＲＳは、マクロ基地局装置ｅＮＢのＣＲＳに対して周波数方向にシフトされている。このシフト量Ｖｓｈｉｆｔは、固有のセルＩＤ（cell  ID）に基づいて決定される（Ｖｓｈｉｆｔ＝（ｃｅｌｌ  ＩＤ  ｍｏｄ  ６））。
【００２６】
この場合、図５に示すように、基地局装置ＲＲＨ＃１のＣＲＳと基地局装置ＲＲＨ＃２のＣＲＳとは異なる周波数リソースで送信されるので、ＣＲＳ同士の干渉は発生しない。しかし、この追加キャリアタイプでは、基地局装置ＲＲＨ＃２でＣＲＳの送信される周波数リソースに対応するように、基地局装置ＲＲＨ＃１においてＰＤＳＣＨが割り当てられることがある。このため、基地局装置ＲＲＨ＃２のＣＲＳは基地局装置ＲＲＨ＃１のＰＤＳＣＨと干渉する恐れがある。ＣＲＳ用の無線リソースを周波数方向において減らした追加キャリアタイプでも同様に、基地局装置ＲＲＨのＣＲＳと別の基地局装置ＲＲＨのＰＤＳＣＨとが干渉する恐れがある。
【００２７】
この問題に対し、本発明者らは、追加キャリアタイプにおいて必ずしもデータ復調にＣＲＳを用いなくて良いという点に着目し、本発明を完成させた。データ復調にＣＲＳを用いないのであれば、ＣＲＳ同士の干渉はある程度許容されるので、ＣＲＳの配置の自由度は高められる。すなわち、本発明の骨子は、追加キャリアタイプのＣＲＳの配置をこれまでと異ならせることで、基地局装置ＲＲＨのＣＲＳと別の基地局装置ＲＲＨのＰＤＳＣＨとの干渉を抑制することである。
【００２８】
以下、図６から図９を参照して、新たなＣＲＳの送信パターンを有する追加キャリアタイプについて説明する。図６は、追加キャリアタイプの第１の態様について示す図である。図７は、追加キャリアタイプの第２の態様について示す図である。図８は、追加キャリアタイプの第３の態様について示す図である。図９は、追加キャリアタイプの第４の態様について示す図である。なお、図６から図９においては、説明の便宜上、ＳＣｅｌｌとして用いられる基地局装置ＲＲＨ＃１の無線リソースと、基地局装置ＲＲＨ＃１に近接する基地局装置ＲＲＨ＃２の無線リソースのみを示すが、小型セルを形成する基地局装置ＲＲＨは他に存在しても良い。図６から図９においては、ＣＲＳ、ＰＤＳＣＨ、ＰＳＳ／ＳＳＳの割り当てパターンのみを模式的に示す。
【００２９】
図６に示すように、第１の態様では、時間方向においてＣＲＳ用の無線リソースを減らした追加キャリアタイプ（図４Ａ参照）が適用されている。第１の態様では、ＣＲＳの送信される周波数リソースはセルＩＤと無関係に設定されており、ＣＲＳは全ての基地局装置ＲＲＨにおいて同一の周波数リソースで送信されている。例えば、マクロ基地局装置ｅＮＢのＣＲＳに対するシフト量をセルＩＤに関わらず一定（Ｖｓｈｉｆｔ＝Ｃ：Ｃは定数）にすれば、同一の周波数リソースでＣＲＳを送信できる。
【００３０】
具体的には、基地局装置ＲＲＨ＃１及び基地局装置ＲＲＨ＃２において、ＣＲＳは、時間方向及び周波数方向で重なる同一の無線リソースを用いて送信されている。また、ＣＲＳは、４サブフレーム間隔（５サブフレーム周期）で送信されている。ＰＳＳ／ＳＳＳは、ＣＲＳと同じサブフレームで送信されている。つまり、ＰＳＳ／ＳＳＳも、４サブフレーム間隔（５サブフレーム周期）で送信されている。ＰＤＳＣＨは、基地局装置ＲＲＨ＃１において、第１サブフレーム〜第１０サブフレームに割り当てられており、基地局装置ＲＲＨ＃２において、第９サブフレーム、第１０サブフレームに割り当てられている。ただし、ＣＲＳの送信間隔（送信周期）や、ＰＤＳＣＨの配置などはこれに限られない。
【００３１】
第１の態様では、ＣＲＳは、全ての追加キャリアタイプにおいて時間方向及び周波数方向で重なる同一の無線リソースにより送信されるので、基地局装置ＲＲＨのＣＲＳと別の基地局装置ＲＲＨのＰＤＳＣＨとが同一の無線リソースで送信されることはない。このため、基地局装置ＲＲＨのＣＲＳから別の基地局装置ＲＲＨのＰＤＳＣＨへの干渉を抑制できる。この場合、基地局装置ＲＲＨのＣＲＳと別の基地局装置ＲＲＨのＣＲＳとが干渉する恐れはあるが、データ復調にはＤＭ−ＲＳを用いることができるので、この点は問題にならない。この追加キャリアタイプで送信されたＣＲＳは移動端末装置ＵＥで受信され、例えば、シンボル同期やチャネル品質測定などに用いられる。
【００３２】
なお、ＣＲＳからＰＤＳＣＨへの干渉が問題とならない場合などには、ＣＲＳの送信に用いる無線リソースを基地局装置ＲＲＨ毎に変えても良い。この場合、例えば、上位レイヤシグナリングにより、移動端末装置ＵＥに対してＣＲＳのサブフレーム番号や周波数位置などが通知される。これにより、ＣＲＳの送信に自由度を持たせることができるので、基地局装置ＲＲＨのＣＲＳから別の基地局装置ＲＲＨのＰＤＳＣＨへの干渉を抑制しつつ、基地局装置ＲＲＨのＣＲＳから別の基地局装置ＲＲＨのＣＲＳへの干渉を抑制することも可能である。
【００３３】
図７に示すように、第２の態様では、周波数方向においてＣＲＳ用の無線リソースを減らした追加キャリアタイプ（図４Ｂ参照）が適用されている。この第２の態様においても、ＣＲＳの送信される周波数リソースはセルＩＤと無関係に設定されており、ＣＲＳは全ての基地局装置ＲＲＨにおいて同一の周波数リソースで送信されている。マクロ基地局装置ｅＮＢのＣＲＳに対するシフト量は、第１の態様と同様、セルＩＤに関わらず一定（Ｖｓｈｉｆｔ＝Ｃ：Ｃは定数）とする。
【００３４】
具体的には、基地局装置ＲＲＨ＃１及び基地局装置ＲＲＨ＃２において、ＣＲＳは、共に中央の６ＲＢで送信されている。つまり、ＣＲＳは、全ての追加キャリアタイプにおいて、時間方向及び周波数方向で重なる同一の無線リソースにより送信されている。ただし、ＣＲＳの送信に用いる無線リソースの周波数範囲はこれに限られない。ＰＳＳ／ＳＳＳやＰＤＳＣＨの配置などは、図６と同様である。ただし、ＰＤＳＣＨの配置はこれに限られない。
【００３５】
第２の態様においても、ＣＲＳは、全ての追加キャリアタイプにおいて時間方向及び周波数方向で重なる同一の無線リソースにより送信されるので、基地局装置ＲＲＨのＣＲＳと別の基地局装置ＲＲＨのＰＤＳＣＨとが同一の無線リソースで送信されることはない。このため、第１の態様と同様に、基地局装置ＲＲＨのＣＲＳから別の基地局装置ＲＲＨのＰＤＳＣＨへの干渉を抑制できる。この追加キャリアタイプで送信されたＣＲＳは移動端末装置ＵＥにおいて受信され、例えば、シンボル同期やチャネル品質測定などに用いられる。第２の態様においても、ＣＲＳからＰＤＳＣＨへの干渉が問題にならない場合などには、ＣＲＳの送信に用いる無線リソースを基地局装置ＲＲＨ毎に変えるようにしても良い。
【００３６】
この第２の態様は、第１の態様と組み合わせて用いても良い。つまり、ＣＲＳ用の無線リソースを時間方向及び周波数方向において減らした追加キャリアタイプとしても良い。この場合も、ＣＲＳの送信される周波数リソースをセルＩＤと無関係に設定することで、ＣＲＳは全ての基地局装置ＲＲＨにおいて同一の周波数リソースで送信できる。これにより、基地局装置ＲＲＨのＣＲＳから別の基地局装置ＲＲＨのＰＤＳＣＨへの干渉を抑制できる。
【００３７】
図８に示すように、第３の態様では、時間方向及び周波数方向においてＣＲＳ用の無線リソースを減らした追加キャリアタイプが適用される。第３の態様では、各基地局装置ＲＲＨで共通する参照信号リソース配置パターンにしたがってＣＲＳが配置されている。ＣＲＳは、参照信号リソース配置パターンの一部の周波数リソースで送信され、各基地局装置ＲＲＨ間で周波数リソースが重ならないように配置される。参照信号リソース配置パターンにおいてＣＲＳの配置されない周波数リソースには、ゼロパワーＣＲＳが配置され、ＣＲＳは無送信となる。
【００３８】
例えば、基地局装置ＲＲＨ＃１において、ＣＲＳは、中央の６ＲＢで送信され、他の周波リソースにおいて無送信である。また、基地局装置ＲＲＨ＃２において、ＣＲＳは、異なる６ＲＢで送信され、他の周波数リソースにおいて無送信である。参照信号リソース配置パターンにおいて、ＣＲＳを無送信とされた周波数リソースは、他の信号送信に用いられない。つまり、この周波数リソースはゼロパワー送信される（ゼロパワー参照信号が配置される）。第３の態様において、ＣＲＳは、４サブフレーム間隔（５サブフレーム周期）で送信されている。ただし、ＣＲＳの送信周波数や送信周期は、これに限られない。ＰＳＳ／ＳＳＳやＰＤＳＣＨの配置などは、図６等と同様である。ただし、ＰＤＳＣＨの配置などはこれに限られない。
【００３９】
第３の態様では、各基地局装置ＲＲＨのＣＲＳは６ＲＢ単位でシフトされており、各基地局装置ＲＲＨ間でＣＲＳの周波数リソースは重ならないようになっている。ある基地局装置ＲＲＨにおいてＣＲＳの送信される周波数リソースは、他の基地局装置ＲＲＨにおいてゼロパワー送信される周波数リソースと重なっている。具体的には、基地局装置ＲＲＨ＃１においてＣＲＳの送信される周波数リソースと、基地局装置ＲＲＨ＃２においてゼロパワー送信される周波数リソースとは重なっている。また、基地局装置ＲＲＨ＃２においてＣＲＳの送信される周波数リソースと、基地局装置ＲＲＨ＃１においてゼロパワー送信される周波数リソースとは重なっている。
【００４０】
このように、第３の態様では、基地局装置ＲＲＨでＣＲＳの送信される周波数リソースと、別の基地局装置ＲＲＨでゼロパワー送信される周波数リソースとが重なるので、基地局装置ＲＲＨのＣＲＳと別の基地局装置のＰＤＳＣＨとが同一の周波数リソースで送信されることはない。これにより、基地局装置ＲＲＨのＣＲＳから別の基地局装置ＲＲＨのＰＤＳＣＨへの干渉を抑制できる。また、ＣＲＳの送信される周波数リソースは、各基地局装置ＲＲＨ間において重ならないので、ＣＲＳ同士の干渉も抑制できる。
【００４１】
各基地局装置ＲＲＨにおいてＣＲＳの送信される無線リソースのサブフレーム番号や周波数位置は、上位レイヤシグナリングで移動端末装置ＵＥに通知される。また、各基地局装置ＲＲＨにおいて、ＣＲＳのシフト量は、例えば、下記式（１）のように決定できる。
【数１】
0006033561.tif 000002
【００４２】
図９に示すように、第４の態様は第３の態様の変形例に相当する。つまり、第３の態様では、ＰＳＳ／ＳＳＳは、全ての追加キャリアタイプにおいて同一の周波数リソースで送信されていたが、第４の態様では、異なる周波数リソースで送信されている。具体的には、各基地局装置ＲＲＨにおいてＣＲＳの送信される６ＲＢに対応して、ＰＳＳ／ＳＳＳの送信される周波数リソースは選択される。ただし、ＰＳＳ／ＳＳＳの周波数位置はＣＲＳの送信される周波数位置と無関係に設定されても良い。
【００４３】
第４の態様でも、第３の態様と同様に、各基地局装置ＲＲＨのＣＲＳは６ＲＢ単位でシフトされ、ある基地局装置ＲＲＨにおいてＣＲＳの送信される周波数リソースは、他の基地局装置ＲＲＨにおいてゼロパワー送信される周波数リソースと重なる。つまり、基地局装置ＲＲＨのＣＲＳと別の基地局装置のＰＤＳＣＨとが同じ周波数リソースで送信されることはなく、基地局装置ＲＲＨのＣＲＳから別の基地局装置ＲＲＨのＰＤＳＣＨへの干渉を抑制できる。また、ＣＲＳの送信される周波数リソースは、各基地局装置ＲＲＨ間において重ならないので、ＣＲＳ同士の干渉も抑制できる。
【００４４】
次に、本実施の形態に係る無線通信システムについて説明する。図１０は、本実施の形態に係る無線通信システムのシステム構成の説明図である。なお、図１０に示す無線通信システムは、例えば、ＬＴＥシステム或いは、その後継システムが包含されるシステムである。この無線通信システムでは、ＬＴＥシステムのシステム帯域を１単位とする複数の基本周波数ブロックを一体としたキャリアアグリゲーションが用いられている。また、この無線通信システムは、ＩＭＴ−Ａｄｖａｎｃｅｄと呼ばれても良いし、４Ｇと呼ばれても良い。
【００４５】
図１０に示すように、無線通信システムは、ＨｅｔＮｅｔであり、セルＣ１の基地局装置（第１の送信ポイント）２０Ａと、セルＣ１内に設けられたセルＣ２の複数の基地局装置（第２の送信ポイント）２０Ｂとで階層型ネットワークが構築されている。基地局装置２０Ａは、いわゆるマクロ基地局装置であり、大型のセルＣ１をカバーしている。基地局装置２０Ｂは、基地局装置（いわゆるＲＲＨ基地局装置）であり、セルＣ１内に局所的に小型のセルＣ２を形成している。基地局装置２０Ａと各基地局装置２０Ｂとは、有線接続又は無線接続により相互に接続されている。移動端末装置１０は、セルＣ１、Ｃ２においてそれぞれ基地局装置２０Ａ、２０Ｂと通信を行うことができる。また、基地局装置２０Ａは、上位局装置を介してコアネットワーク３０に接続されている。
【００４６】
なお、上位局装置には、例えば、アクセスゲートウェイ装置、無線ネットワークコントローラ（ＲＮＣ）、モビリティマネジメントエンティティ（ＭＭＥ）等が含まれるが、これに限定されない。各移動端末装置１０は、既存（Rel-10以前）の移動端末装置及び新規（Rel-11以降）の移動端末装置を含むが、以下においては、特段の断りがない限り移動端末装置として説明を進める。また、説明の便宜上、基地局装置２０Ａ、２０Ｂと無線通信するのは各移動端末装置１０であるものとして説明するが、より一般的には移動端末装置も固定端末装置も含むユーザ装置（ＵＥ：User  Equipment）でよい。
【００４７】
この無線通信システムは、ＨｅｔＮｅｔに特化したキャリアアグリゲーションに対応している。この場合、移動端末装置１０は、基地局装置２０Ａに接続した状態で、各基地局装置２０ＢからのＰＳＳ／ＳＳＳを同期補足しＣＲＳを受信する。ＣＲＳに用いるスクランブル符号は各基地局装置２０Ｂ間（ＲＲＨ間）で異なり、このスクランブル符号はＰＳＳ／ＳＳＳより得たセルＩＤから求めることができる。このため、セルＩＤに基づいて各基地局装置２０Ｂ（ＲＲＨ）からのＣＲＳを識別できる。移動端末装置１０は、受信したＣＲＳに基づいて各基地局装置２０Ｂからの信号品質を測定し、測定結果を基地局装置２０Ａにフィードバックする。そして、基地局装置２０Ａは、移動端末装置１０からのフィードバックに応じて、受信品質のよい基地局装置２０ＢをＳＣｅｌｌとして検出し、キャリアアグリゲーションを実施する。
【００４８】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００４９】
ここで、通信チャネルについて説明する。下りリンクの通信チャネルは、各移動端末装置１０で共有されるＰＤＳＣＨと、下りＬ１／Ｌ２制御チャネル（ＰＤＣＣＨ、ＰＣＦＩＣＨ、ＰＨＩＣＨ）とを有する。ＰＤＳＣＨにより、ユーザデータ及び上位制御情報が伝送される。ＰＤＣＣＨにより、ＰＤＳＣＨおよびＰＵＳＣＨ（Physical  Uplink  Shared  Channel）のスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００５０】
上りリンクの通信チャネルは、各移動端末装置１０で共有される上りデータチャネルとしてのＰＵＳＣＨと、上りリンクの制御チャネルであるＰＵＣＣＨ（Physical  Uplink  Control  Channel）とを有する。ＰＵＳＣＨにより、ユーザデータや上位制御情報が伝送される。また、ＰＵＣＣＨにより、下りリンクのチャネル品質情報（ＣＱＩ）、ＡＣＫ/ＮＡＣＫ等が伝送される。
【００５１】
図１１を参照しながら、本実施の形態に係る基地局装置２０Ａ、２０Ｂの全体構成について説明する。なお、基地局装置２０Ｂではベースバンド処理が行われず、基地局装置２０Ｂは、基地局装置２０Ａからベースバンド信号を受信して移動端末装置１０に通知している。
【００５２】
基地局装置２０Ａは、送受信アンテナ２０１Ａと、アンプ部２０２Ａと、送受信部２０３Ａと、ベースバンド信号処理部２０４Ａと、呼処理部２０５Ａと、伝送路インターフェース２０６Ａとを備えている。また、基地局装置２０Ｂは、送受信アンテナ２０１Ｂと、アンプ部２０２Ｂと、送受信部２０３Ｂとを備えている。下りリンクにより基地局装置２０Ａ、Ｂから移動端末装置１０に送信される送信データは、上位局装置から伝送路インターフェース２０６Ａを介してベースバンド信号処理部２０４Ａに入力される。
【００５３】
ベースバンド信号処理部２０４Ａにおいて、下りデータチャネルの信号は、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルの信号に関しても、チャネル符号化や逆高速フーリエ変換等の送信処理が行われる。
【００５４】
また、ベースバンド信号処理部２０４Ａは、報知チャネルにより、同一セルに接続する移動端末装置１０に対して、各移動端末装置１０が基地局装置２０Ａ、２０Ｂと無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）等が含まれる。
【００５５】
この場合、ベースバンド信号処理部２０４Ａから送受信部２０３Ａには、ＣＣ＃１のベースバンド信号が出力され、ベースバンド信号処理部２０４Ａから基地局装置２０Ｂの送受信部２０３Ｂには、光ファイバーを通してＣＣ＃２のベースバンド信号が出力される。送受信部２０３Ａ、２０３Ｂは、ベースバンド信号処理部２０４Ａから出力されたベースバンド信号を無線周波数帯に変換する。アンプ部２０２Ａ、２０２Ｂは、周波数変換された無線周波数信号を増幅して送受信アンテナ２０１Ａ、２０１Ｂにより送信する。
【００５６】
一方、上りリンクにより移動端末装置１０から基地局装置２０Ａ、２０Ｂに送信されるデータについては、基地局装置２０Ａ、２０Ｂの各送受信アンテナ２０１Ａ、２０１Ｂで受信された無線周波数信号がアンプ部２０２Ａ、２０２Ｂで増幅され、送受信部２０３Ａ、２０３Ｂで周波数変換されてベースバンド信号に変換され、ベースバンド信号処理部２０４Ａに入力される。
【００５７】
ベースバンド信号処理部２０４Ａにおいては、入力されたベースバンド信号に含まれる送信データに対して、高速フーリエ変換（ＦＦＴ：Fast  Fourier  Transform）処理、逆拡散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされる。ベースバンド信号は伝送路インターフェース２０６Ａを介して上位局装置に転送される。呼処理部２０５Ａは、通信チャネルの設定や解放等の呼処理や、基地局装置２０Ａ、２０Ｂの状態管理や、無線リソースの管理を行う。
【００５８】
次に、図１２を参照しながら、本実施の形態に係る移動端末装置の全体構成について説明する。移動端末装置１０は、送受信アンテナ１０１と、アンプ部１０２と、送受信部１０３と、ベースバンド信号処理部１０４と、アプリケーション部１０５とを備えている。
【００５９】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクのユーザデータは、アプリケーション部１０５に転送される。アプリケーション部１０５は、物理レイヤやＭＡＣレイヤより上位のレイヤに関する処理等を行う。また、下りリンクのデータの内、報知情報もアプリケーション部１０５に転送される。
【００６０】
一方、上りリンクの送信データについては、アプリケーション部１０５からベースバンド信号処理部１０４に入力される。ベースバンド信号処理部１０４においては、マッピング処理、再送制御（Ｈ−ＡＲＱ）の送信処理や、チャネル符号化、拡散フーリエ変換（ＤＦＴ：Discrete  Fourier  Transform）処理、ＩＦＦＴ処理を行う。送受信部１０３は、ベースバンド信号処理部１０４から出力されたベースバンド信号を無線周波数帯に変換する。その後、アンプ部１０２で増幅されて送受信アンテナ１０１より送信される。
【００６１】
図１３は、本実施の形態に係る基地局装置２０Ａが有するベースバンド信号処理部２０４Ａ及び一部の上位レイヤの機能ブロック図であり、主にベースバンド信号処理部２０４Ａの送信処理の機能ブロックを示している。基地局装置２０Ａの配下となる移動端末装置１０に対する送信データが上位局装置から基地局装置２０Ａに対して転送される。なお、図１３では、基地局装置２０Ａが、２個のＣＣ＃１、ＣＣ＃２を用いる場合を示している。もちろん、各基地局装置２０が用いるＣＣの数はこれに限られない。また、基地局装置２０ＡのＣＣ＃１には、既存キャリアタイプが設定され、ＣＣ＃２には、追加キャリアタイプが設定されているものとする。
【００６２】
制御情報生成部３００は、上位レイヤシグナリングにより移動端末装置１０に通知する上位制御情報をユーザ単位で生成する。上位制御情報には、追加キャリアタイプでＣＲＳの送信に用いる無線リソースの情報が含まれても良い。例えば、第１の態様又は第２の態様において、ＣＲＳの送信に用いる無線リソースのサブフレーム番号や周波数位置などの情報を含ませても良い。また、上位制御情報には、Ｖｓｈｉｆｔに関する情報などを含ませても良い。特に、ＣＲＳの送信に用いる無線リソースを基地局装置毎に変える場合には、ＣＲＳの送信に用いる無線リソースの情報を上制御情報に含ませることが好ましい。また、第３の態様又は第４の態様において、ＣＲＳの送信に用いる無線リソースのサブフレーム番号や周波数位置などの情報を含ませても良い。このように、ＣＲＳの送信に用いる無線リソースの情報を上制御情報に含ませることで、ＣＲＳの送信元を特定できる。
【００６３】
データ生成部３０１は、上位局装置から転送された送信データをユーザ毎にユーザデータとして出力する。コンポーネントキャリア選択部３０２は、移動端末装置１０との無線通信に使用されるコンポーネントキャリアを移動端末装置１０毎に選択する。キャリアアグリゲーションする場合には、基地局装置２０ＡのＣＣ＃１をＰＣｅｌｌとし、光ファイバー３１９を介して接続される他の基地局装置２０ＢのＣＣ＃２からＳＣｅｌｌを選択する。基地局装置２０Ａから移動端末装置１０に対して上位レイヤシグナリングによりコンポーネントキャリアの追加／削減を通知し、移動端末装置１０から適用完了メッセージを受信する。
【００６４】
スケジューリング部３１０は、システム帯域全体の通信品質に応じて、配下の移動端末装置１０に対するコンポーネントキャリアの割当てを制御する。スケジューリング部３１０は、ＬＴＥ端末ユーザとＬＴＥ−Ａ端末ユーザとを区別してスケジューリングを行う。スケジューリング部３１０は、上位局装置から送信するデータ及び再送指示が入力されると共に、上りリンクの信号を測定した受信部からチャネル推定値やリソースブロックのＣＱＩが入力される。
【００６５】
また、スケジューリング部３１０は、入力された再送指示、チャネル推定値及びＣＱＩを参照しながら、下りリンク制御チャネル信号及び下りリンク共有チャネル信号のスケジューリングを行う。無線通信における伝搬路は、周波数選択性フェージングにより周波数毎に変動が異なる。そこで、スケジューリング部３１０は、各移動端末装置１０への下りデータについて、サブフレーム毎に通信品質の良好なリソースブロック（マッピング位置）を指示する（適応周波数スケジューリングと呼ばれる）。適応周波数スケジューリングでは、各リソースブロックに対して伝搬路品質の良好な移動端末装置１０を選択する。そのため、スケジューリング部３１０は、移動端末装置１０からフィードバックされるリソースブロック毎のＣＱＩを用いてリソースブロック（マッピング位置）を指示する。
【００６６】
同様に、スケジューリング部３１０は、適応周波数スケジューリングによってＰＤＣＣＨで送信される制御情報等について、サブフレーム毎に通信品質の良好なリソースブロックを指示する。このため、スケジューリング部３１０は、各移動端末装置１０からフィードバックされるリソースブロック毎のＣＱＩを用いてリソースブロック（マッピング位置）を指示する。また、割当てたリソースブロックで所定のブロック誤り率を満たすＭＣＳ（符号化率、変調方式）を決定する。スケジューリング部３１０が決定したＭＣＳ（符号化率、変調方式）を満足するパラメータがチャネル符号化部３０３、３０８、変調部３０４、３０９に設定される。なお、適用周波数スケジューリングは、基地局装置２０Ａに対してだけでなく、光ファイバー３１９を介して、基地局装置２０Ｂに対しても行われる。
【００６７】
キャリアアグリゲーションする場合には、スケジューリング部３１０は、適用される追加キャリアタイプに応じてＳＣｅｌｌにおいてＣＲＳを送信する無線リソースを指示する。例えば、第１の態様に係る追加キャリアタイプが適用される場合には、全ての基地局装置２０Ｂにおいて重なる周波数リソースを用い、所定のサブフレーム間隔でＣＲＳを送信するように指示する。第２の態様に係る追加キャリアタイプが適用される場合には、全ての基地局装置２０Ｂにおいて重なる周波数リソースを用い、所定の周波数範囲でＣＲＳを送信するように指示する。
【００６８】
また、第３の態様又は第４の態様に係る追加キャリアタイプが適用される場合には、スケジューリング部３１０は、各基地局装置２０Ｂで共通する参照信号リソース配置パターンの一部にＣＲＳを配置するように指示する。また、各基地局装置２０ＢでＣＲＳの周波数リソースが重ならないように指示する。さらに、各基地局装置２０Ｂの参照信号リソース配置パターンにおいてＣＲＳの配置されないリソースをゼロパワー送信（ゼロパワーＣＲＳ）とするように指示する。
【００６９】
ベースバンド信号処理部２０４Ａは、１つのＣＣ内での最大ユーザ多重数Ｎに対応したチャネル符号化部３０３、変調部３０４、マッピング部３０５を備えている。チャネル符号化部３０３は、データ生成部３０１から出力される下りデータ（一部の上位制御信号を含む）で構成される下り共有データチャネル（ＰＤＳＣＨ）を、ユーザ毎にチャネル符号化する。変調部３０４は、チャネル符号化されたユーザデータをユーザ毎に変調する。マッピング部３０５は、変調されたユーザデータを無線リソースにマッピングする。
【００７０】
また、ベースバンド信号処理部２０４Ａは、下り制御情報を生成する下り制御情報生成部３０６と、チャネル符号化部３０８と、変調部３０９とを備える。下り制御情報生成部３０６において、上り共有データチャネル用制御情報生成部３０６ｂは、上りデータチャネル（ＰＵＳＣＨ）を制御するための上りスケジューリンググラント（UL  Grant）を生成する。当該上りスケジューリンググラントは、ユーザ毎に生成される。
【００７１】
また、下り共有データチャネル用制御情報生成部３０６ｃは、下りデータチャネル（ＰＤＳＣＨ）を制御するための下りスケジューリング割当て（DL  assignment）を生成する。当該下りスケジューリング割当ては、ユーザ毎に生成される。また、共通チャネル用制御情報生成部３０６ａは、ユーザ共通の下り制御情報である共通制御チャネル用制御情報を生成する。
【００７２】
変調部３０９でユーザ毎に変調された制御情報は、制御チャネル多重部３１４で多重され、さらにインタリーブ部３１５でインタリーブされる。インタリーブ部３１５から出力される制御信号及びマッピング部３０５から出力されるユーザデータは下りチャネル信号としてＩＦＦＴ部３１６へ入力される。
【００７３】
基地局装置２０Ｂ宛のベースバンド信号処理部２０４Ａ（ＣＣ＃２）は、下り参照信号を生成する参照信号生成部（生成部）３１８を備える。参照信号生成部３１８は、各基地局装置２０Ｂで送信されるＣＲＳを生成する。なお、参照信号生成部３１８は、下りリンク復調用のＤＭ−ＲＳ、ＣＳＩ測定用のＣＳＩ−ＲＳなどを生成しても良い。
【００７４】
ＩＦＦＴ部３１６には、下りチャネル信号として、インタリーブ部３１５から制御信号が入力され、マッピング部３０５からユーザデータが入力される。また、基地局装置２０Ｂ宛のＩＦＦＴ部３１６（ＣＣ＃２）には、参照信号生成部３１８から下り参照信号がさらに入力される。ＩＦＦＴ部３１６は、下りチャネル信号及び下り参照信号を逆高速フーリエ変換して周波数領域の信号から時系列の信号に変換する。サイクリックプレフィックス挿入部３１７は、下りチャネル信号の時系列信号にサイクリックプレフィックスを挿入する。なお、サイクリックプレフィクスは、マルチパス伝搬遅延の差を吸収するためのガードインターバルとして機能する。サイクリックプレフィックスが付加された送信データは、送受信部２０３Ａ、２０３Ｂに送出される。
【００７５】
なお、図１３では、ＣＣ＃２において、全サブフレームが追加キャリアタイプに設定されてもよいし、所定のサブフレームが追加キャリアタイプに設定され、残りのサブフレームが既存キャリアタイプに設定されてもよい。この場合、基地局装置２０ＢのＣＣ＃２に新規（Rel-11以降）の移動端末装置だけでなく、既存（Rel-10以前）の移動端末装置を接続させることができる。
【００７６】
図１４は、移動端末装置１０のベースバンド信号処理部１０４の機能ブロック図であり、追加キャリアタイプをサポートするＬＴＥ−Ａ端末の機能ブロックを示している。
【００７７】
基地局装置２０Ａ、２０Ｂから受信データとして受信された下りリンク信号は、ＣＰ除去部４０１でＣＰが除去される。ＣＰが除去された下りリンク信号は、ＦＦＴ部４０２へ入力される。ＦＦＴ部４０２は、下りリンク信号を高速フーリエ変換して時間領域の信号から周波数領域の信号に変換し、デマッピング部４０３へ入力する。デマッピング部４０３は、下りリンク信号をデマッピングし、下りリンク信号から複数の制御情報が多重された多重制御情報、ユーザデータ、上位制御信号を取り出す。なお、デマッピング部４０３によるデマッピング処理は、アプリケーション部１０５から入力される上位制御信号に基づいて行われる。デマッピング部４０３から出力された多重制御情報は、デインタリーブ部４０４でデインタリーブされる。
【００７８】
また、ベースバンド信号処理部１０４は、下り制御情報を復調する下り制御情報復調部４０５、下り共有データを復調するデータ復調部４０６、チャネル推定部４０７を備えている。下り制御情報復調部４０５は、多重された制御情報から共通制御チャネル用制御情報を復調する共通チャネル用制御情報復調部４０５ａと、多重された制御情報から上り共有データチャネル用制御情報を復調する上り共有データチャネル用制御情報復調部４０５ｂと、多重された制御情報から下り共有データチャネル用制御情報を復調する下り共有データチャネル用制御情報復調部４０５ｃとを備えている。
【００７９】
共通チャネル用制御情報復調部４０５ａは、下りリンク制御チャネル（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、マッピング部４１５に入力され、基地局装置２０への送信データの一部としてマッピングされる。
【００８０】
上り共有データチャネル用制御情報復調部４０５ｂは、下りリンク制御チャネル（ＰＤＣＣＨ）のユーザ個別サーチスペースのブラインドデコーディング処理、復調処理、チャネル復号処理などにより上り共有データチャネル用制御情報（例えば、ＵＬ  Ｇｒａｎｔ）を取り出す。復調された上り共有データチャネル用制御情報は、マッピング部４１５に入力されて、上り共有データチャネル（ＰＵＳＣＨ）の制御に使用される。
【００８１】
下り共有データチャネル用制御情報復調部４０５ｃは、下りリンク制御チャネル（ＰＤＣＣＨ）のユーザ個別サーチスペースのブラインドデコーディング処理、復調処理、チャネル復号処理などによりユーザ固有の下り共有データチャネル用制御情報（例えば、ＤＬ  ａｓｓｉｇｎｍｅｎｔ）を取り出す。復調された下り共有データチャネル用制御情報は、データ復調部４０６へ入力されて、下り共有データチャネル（ＰＤＳＣＨ）の制御に使用され、下り共有データ復調部４０６ａに入力される。
【００８２】
データ復調部４０６は、ユーザデータ及び上位制御信号を復調する下り共有データ復調部４０６ａと、下り共通チャネルデータを復調する下り共通チャネルデータ復調部４０６ｂとを備えている。
【００８３】
下り共有データ復調部４０６ａは、下り共有データチャネル用制御情報復調部４０５ｃから入力された下り共有データチャネル用制御情報に基づいて、ユーザデータや上位制御情報を取得する。下り共通チャネルデータ復調部４０６ｂは、上り共有データチャネル用制御情報復調部４０５ｂから入力された上り共有データチャネル用制御情報に基づいて、下り共通チャネルデータを復調する。この場合、データ復調部４０６は、コンポーネントキャリアのキャリアタイプに応じてレートマッチングパターンを切り替えてデレートマッチングする。例えば、追加キャリアタイプのコンポーネントキャリアでは、ＣＲＳやＰＤＣＣＨ用のリソースに割り当てられたユーザデータを考慮して適切に復調処理が行われる。
【００８４】
チャネル推定部４０７は、ユーザ固有の参照信号（ＤＭ−ＲＳ）、またはセル固有の参照信号（ＣＲＳ）を用いてチャネル推定する。チャネル推定部４０７は、推定されたチャネル変動を共通制御チャネル用制御情報復調部４０５ａ、上り共有データチャネル用制御情報復調部４０５ｂ、下り共有データチャネル用制御情報復調部４０５ｃ及び下り共有データ復調部４０６ａに出力する。これらの復調部においては、推定されたチャネル変動及び復調用の参照信号を用いて復調処理を行う。
【００８５】
また、ベースバンド信号処理部１０４は、送信処理系の機能ブロックとして、データ生成部４１１、チャネル符号化部４１２、変調部４１３、ＤＦＴ部４１４、マッピング部４１５、ＩＦＦＴ部４１６、ＣＰ挿入部４１７を備えている。データ生成部４１１は、アプリケーション部１０５から入力されるビットデータから送信データを生成する。チャネル符号化部４１２は、送信データに対して誤り訂正等のチャネル符号化処理を施し、変調部４１３はチャネル符号化された送信データをＱＰＳＫ等で変調する。
【００８６】
ＤＦＴ部４１４は、変調された送信データを離散フーリエ変換する。マッピング部４１５は、ＤＦＴ後のデータシンボルの各周波数成分を、基地局装置２０Ａ、２０Ｂに指示されたサブキャリア位置へマッピングする。ＩＦＦＴ部４１６は、システム帯域に相当する入力データを逆高速フーリエ変換して時系列データに変換し、ＣＰ挿入部４１７は時系列データに対してデータ区切りでサイクリックプレフィックスを挿入する。
【００８７】
以上のように、本実施の形態に係る通信システムによれば、追加キャリアタイプのＣＲＳの配置をこれまでとは異ならせているので、ＣＲＳからＰＤＳＣＨへの干渉を抑制できる。このため、移動端末装置１０では、ユーザデータなどのＰＤＳＣＨで送信される信号の受信品質が向上する。このように、既存のシステムを有効に活用しつつ、ＨｅｔＮｅｔにおけるキャリアアグリゲーションに適した通信システム、基地局装置及び通信方法を実現できる。
【００８８】
本発明は上記実施の形態に限定されず、様々変更して実施することが可能である。例えば、本発明の範囲を逸脱しない限りにおいて、上記説明におけるキャリア数、キャリアの帯域幅、シグナリング方法、追加キャリアタイプの種類、処理部の数、処理手順については適宜変更して実施することが可能である。その他、本発明の範囲を逸脱しないで適宜変更して実施することが可能である。
【符号の説明】
【００８９】
１０  移動端末装置
２０Ａ  基地局装置（第１の送信ポイント）
２０Ｂ  基地局装置（第２の送信ポイント）
１０３  送受信部（受信部）
１０４  ベースバンド信号処理部
２０３Ａ、２０３Ｂ  送受信部
２０４Ａ  ベースバンド信号処理部
３００  制御情報生成部
３０１  データ生成部
３０２  コンポーネントキャリア選択部
３１０  スケジューリング部
３１８  参照信号生成部（生成部）
【図１】
0006033561.tif 000003
【図２】
0006033561.tif 000004
【図３】
0006033561.tif 000005
【図４】
0006033561.tif 000006
【図５】
0006033561.tif 000007
【図６】
0006033561.tif 000008
【図７】
0006033561.tif 000009
【図８】
0006033561.tif 000010
【図９】
0006033561.tif 000011
【図１０】
0006033561.tif 000012
【図１１】
0006033561.tif 000013
【図１２】
0006033561.tif 000014
【図１３】
0006033561.tif 000015
【図１４】
0006033561.tif 000016